(57)【要約】      （修正有）【課題】家族等の複数のユーザによって共用された場合でも、ユーザ個別に安心して情報の管理が容易にできるサーバ、通信端末、プライバシー保護機器、情報管理方法及び情報管理プログラムを提供する。【解決手段】サーバ２０１は、通信端末からの要求を受けて、通信端末に係る関連情報である個人モード情報を生成し、撮影装置に対して個人モード情報を送信した通信端末の専用の記録領域を設定し、個人モード情報を送信した通信端末からの要求を受けて、撮影装置の専用の記録領域から画像を取得する制御部２０１ｂと、取得した画像を、個人モード情報を送信した通信端末に送信するサーバ送信部とを備える。【選択図】図１１
2019023887.tif 000002
【特許請求の範囲】
【請求項１】
通信端末からの要求を受けて、前記通信端末に係る関連情報である個人モード情報を生成し、前記個人モード情報に基づき、撮影装置に対して前記通信端末の専用の記録領域を設定し、前記通信端末からの要求を受けて、前記撮影装置の前記専用の記録領域から画像を取得する制御部と、
取得した前記画像を、前記個人モード情報を送信した前記通信端末に送信するサーバ送信部と、
を具備することを特徴とするサーバ。
【請求項２】
前記個人モード情報は、前記撮影装置における撮影パラメータの設定を含み、
前記制御部は、前記個人モード情報を前記サーバ送信部によって前記撮影装置に送信することを特徴とする請求項１に記載のサーバ。
【請求項３】
前記取得した画像は暗号化されており、
前記制御部は、暗号化された前記画像を復号することを特徴とする請求項１に記載のサーバ。
【請求項４】
請求項１乃至３の何れか１項に記載のサーバと通信する通信端末であって、
前記通信端末に係る関連情報である前記個人モード情報の生成の要求を前記サーバに対して送信する端末送信部と、
前記個人モード情報の生成の要求後の画像の取得要求に応じて前記サーバから送信された前記画像を受信する端末受信部と、
前記受信された前記画像を再生する再生制御部と、
を具備することを特徴とする通信端末。
【請求項５】
前記個人モード情報は、前記撮影装置を指定するための情報を含む請求項４に記載の通信端末。
【請求項６】
記録のための情報を取得する情報取得部と、
通信端末から当該通信端末に係る関連情報である個人モード情報を受信する機器受信部と、
前記情報を記録する記録部と、
前記個人モード情報が受信されたときに、前記記録部の専用の記録領域に前記情報を記録するように制御する記録制御部と、
前記記録部の前記専用の記録領域に記録されている前記情報を、対応する前記通信端末に優先して送信する機器送信部と、
を具備することを特徴とするプライバシー保護機器。
【請求項７】
プライバシー保護機器において記録のための情報を取得することと、
通信端末から当該通信端末に係る関連情報である個人モード情報を前記プライバシー保護機器において受信することと、
前記個人モード情報が受信されたときに、前記プライバシー保護機器における専用の記録領域に前記情報を記録することと、
前記専用の記録領域に記録されている前記情報を、対応する前記通信端末に優先して送信することと、
を具備することを特徴とする情報管理方法。
【請求項８】
プライバシー保護機器のコンピュータに、
情報取得部において記録のための情報を取得させる機能と、
通信端末から当該通信端末に係る関連情報である個人モード情報を受信させる機能と、
前記個人モード情報が受信されたときに、前記プライバシー保護機器における専用の記録領域に前記情報を記録させる機能と、
前記専用の記録領域に記録されている前記情報を、対応する前記通信端末に優先的に送信する機能と、
を実現させるための情報管理プログラム。
【発明の詳細な説明】
【技術分野】
【０００１】
本発明は、サーバ、通信端末、プライバシー保護機器、情報管理方法及び情報管理プログラムに関する。
【背景技術】
【０００２】
カメラ等の撮影装置は、例えば複数人のユーザによって共用されることがある。例えば家族に１台のカメラがあると、このカメラは、家族の構成員である例えば父親、母親又は子供によって使用され得る。  
このようにカメラが複数のユーザによって共用されると、当該カメラには、共用される複数のユーザの撮影によって取得された複数の画像が記録される。これら画像に対しては、それぞれのユーザによってパーソナルコンピュータに転送されたり、さらにはインターネット上にアップされたりする等の任意の処理が行われる。
【０００３】
一方、複数のユーザによって共用されるカメラの技術としては、例えば特許文献１がある。この特許文献１では、予め定められた場所に設置されたカメラ装置と、このカメラ装置に撮影開始信号を与える複数台のリモコン装置とが設けられる。そして、特許文献１のカメラ装置は、リモコン装置からの撮影開始信号を受信して撮影動作を行い、撮影開始信号と共に受信したＩＤ情報を取り込んだ画像に付加して記憶部に記録し、この記録した画像を、ユーザの要求に応じてＩＤ情報を手掛かりに抽出し、表示出力、プリント処理、又は記録メディアへの書き込み等をする。
【先行技術文献】
【特許文献】
【０００４】
【特許文献１】特開２０００−０２３０１５号公報
【発明の概要】
【発明が解決しようとする課題】
【０００５】
特許文献１の技術は、テーマパークや遊園地等のように、多くの人々が入場する施設において、希望者にカメラやビデオカメラを貸し出すサービスに適用しようとするものであるが、専用のものであって、一般の機器貸し借り時に簡単な応用は困難であった。
【０００６】
本発明は、家族等の複数のユーザによって共用された場合でも、ユーザ個別に安心して情報の管理が容易にできるサーバ、通信端末、プライバシー保護機器、情報管理方法及び情報管理プログラムを提供することを目的とする。
【課題を解決するための手段】
【０００７】
本発明に係るサーバは、通信端末からの要求を受けて、前記通信端末に係る関連情報である個人モード情報を生成し、前記個人モード情報に基づき、撮影装置に対して前記通信端末の専用の記録領域を設定し、前記通信端末からの要求を受けて、前記撮影装置の前記専用の記録領域から画像を取得する制御部と、取得した前記画像を、前記個人モード情報を送信した前記通信端末に送信するサーバ送信部とを具備することを特徴とする。
【発明の効果】
【０００８】
本発明によれば、家族等の複数のユーザによって共用された場合でも、ユーザ個別に安心して情報の管理が容易にできるサーバ、通信端末、プライバシー保護機器、情報管理方法及び情報管理プログラムを提供できる。
【図面の簡単な説明】
【０００９】
【図１Ａ】図１Ａは、本発明に係る情報管理システムの第１の実施の形態における個人モードの設定を示す図である。
【図１Ｂ】図１Ｂは、同システムにおける画像の送信を示す図である。
【図２】図２は、同システムにおけるカメラを示すブロック構成図である。
【図３】図３は、同システムにおける専用の記録領域を示す模式図である。
【図４】図４は、同システムにおけるスマートフォンを示すブロック構成図である。
【図５Ａ】図５Ａは、同システムにおけるカメラ制御フローチャートである。
【図５Ｂ】図５Ｂは、同システムにおけるカメラ制御フローチャートである。
【図６】図６は、同システムにおけるユーザ専用の写真用パトローネの装填の警告を示す一例を示す図である。
【図７】図７は、同システムにおけるフィルム現像モードにおける写真用パトローネの選択を示す図である。
【図８Ａ】図８Ａは、同システムにおけるスマートフォン制御フローチャートである。
【図８Ｂ】図８Ｂは、同システムにおけるスマートフォン制御フローチャートである。
【図９】図９は、同システムにおけるフィルム装填時の仕様設定の画面の一例を示す図である。
【図１０】図１０は、同システムにおけるフィルムの現像時の画面の一例を示す図である。
【図１１】図１１は、インターネットを介したカメラとスマートフォンとの間のデータ通信網を示す構成図である。
【図１２Ａ】図１２Ａは、同システムにおけるネットサービスサーバによるカメラに対する動作制御を示すサーバ制御フローチャートである。
【図１２Ｂ】図１２Ｂは、同システムにおけるネットサービスサーバによるスマートフォンに対する動作制御を示すサーバ制御フローチャートである。
【図１３】図１３は、本発明に係る情報管理システムの第２の実施の形態におけるレンズ型カメラの共用を示す図である。
【図１４Ａ】図１４Ａは、同システムにおけるレンズ型カメラ制御フローチャートである。
【図１４Ｂ】図１４Ｂは、同システムにおけるレンズ型カメラ制御フローチャートである。
【発明を実施するための形態】
【００１０】
［第１の実施の形態］  
以下、本発明の第１の実施の形態について図面を参照して説明する。  
図１Ａ及び図１Ｂは情報管理システムの概略構成図を示す。この情報管理システム１は、互いに通信可能な第１の情報機器２と第２の情報機器３とを有する。第１の情報機器２は、情報管理装置として機能するカメラ等の撮影装置である。第２の情報機器３は、スマートフォン又は携帯電話機といった通信端末である。以下、第１の情報機器２はカメラ２であるとし、第２の情報機器３はスマートフォンであるとして説明する。
【００１１】
カメラ２は、複数のユーザによって共用され得る。例えば、このカメラ２は、家族を構成する父親、母親、子供（息子、娘）等によって共用される。この複数のユーザによってカメラ２が共用され得る撮影モードを通常の撮影モード（共用モード）とする。なお、カメラ２を共用するユーザは、家族に限らず、複数の友人、グループの構成員等でもよい。一方で、カメラ２は、複数のユーザの個々によって個人的に使用され得る。例えば、このカメラ２は、家族を構成する娘によって個人的に使用される。このカメラ２が個人使用される撮影モードを個人モードとする。
【００１２】
スマートフォン３は、複数台あり、カメラ２のユーザ候補である例えば父親、母親、子供（息子、娘）によって例えば１台ずつ所有される。このスマートフォン３は、カメラ２が個人モードに設定された場合にカメラ２と連携して動作する。もちろん、本発明では、所有かどうかに関わらず、家族以外に、たまたま知り合った人にも同様の考え方で適用可能である。
【００１３】
本実施形態において、カメラ２の撮影モードが個人モードである場合には、撮影によって得られた画像は、カメラ２の記録部にユーザ毎に設けられた専用の記録領域（フォルダ）に記録される。この記録領域は、銀塩フィルムのように、例えば２４枚、３６枚といった規定の枚数の画像のみを記録できる記録領域である。このような枚数制限があれば、ユーザが管理しやすいというメリットもある。各記録領域は、固有の識別情報によって識別される。また、この記録領域に記録された画像は、カメラ２単体では再生することができず、基本的には、カメラ２とスマートフォン３との連携動作によって初めて再生することができる。なお、個人モードでは、スマートフォン３による写真撮影時の撮影パラメータと同一撮影パラメータで写真撮影を行うことも可能である。この撮影パラメータは、シャッタ速度及び絞りに応じて決定される露出値を含み、好みの露出やぼかし表現や画像処理などに個人の好みを反映させることが出来る。
【００１４】
スマートフォン３は、カメラ２にユーザ毎の専用の記録領域を設定するために「フィルム装填」処理を行う。フィルム装填処理は、スマートフォン３を用いてカメラ２に専用の記録領域を設定する一連の処理を、銀塩カメラにフィルムパトローネを装填する動作になぞらえたものである。  
このように単なるデータの制御を、ユーザのよく知った具体的な事物に対応させてビジュアル表示することによって、より直感的かつ迷いのない操作を可能としている。目に見えない事象を、ふさわしいメディア形状のアイコンなどで象徴的に仮象として図示することで、間違いのない操作を促すこともできる。  
このフィルム装填処理において、スマートフォン３は、フィルム装填処理であることを示すために、図１Ａ（ａ）に示すように例えば銀塩カメラによる写真撮影に用いられる写真フィルムを模したアイコン（絵文字とかイラスト画像でも良い）４を表示部５３に表示する。このアイコン４は、例えばパトローネのアイコン４ａと、フィルムのアイコン４ｂとを含む。以下、パトローネアイコン４ａとフィルムアイコン４ｂとを写真用パトローネアイコン４と総称する。フィルム装填処理において、スマートフォン３のユーザは、スマートフォン３の操作により、自身の専用の記録領域に記録可能な画像の枚数を設定する等の記録領域の仕様を決定することができる。この他、スマートフォン３のユーザは、個人モード時の撮影パラメータを決定することができる。撮影パラメータは、例えば露出制御の仕様であったり、撮影される画像に付加される特殊効果処理の内容を示すパラメータである。
【００１５】
このような一連の設定後、スマートフォン３は、カメラ２に向けて個人モード情報ＤＳを送信する。個人モード情報ＤＳに従ってカメラ２において記録領域が設定される。ここで、個人モード情報ＤＳは、スマートフォン３のユーザの識別情報を含む。スマートフォン３のユーザの識別情報は、例えばスマートフォンのユーザごとに割り当てられたＩＤ番号である。スマートフォン３は、複数のユーザで共用されることがほとんどないと考えられるので、スマートフォン３のユーザの識別情報をカメラ２に送信することで、カメラ２を個人使用しようとしているユーザを特定できる。また、個人モード情報ＤＳは、スマートフォン３のユーザによって決定された記録領域の仕様の情報を有する仕様情報を含む。さらに、個人モード情報ＤＳは、フィルム装填処理で決定された撮影パラメータの情報を含む。
【００１６】
なお、個人モード情報ＤＳは、スマートフォン３のユーザの識別情報、仕様情報、撮影パラメータ情報以外の情報を含んでいてもよい。例えば、個人モード情報ＤＳは、スマートフォン３の仕様などの機器情報を含んでいてもよい。スマートフォン３の機器情報は、例えばスマートフォン３に設けられた表示部の画面サイズやユーザインタフェースの情報であり、ユーザの専用の記録領域に記録された画像をスマートフォン３において再生する際に必要に応じて画像を加工したり操作するために用いられる。
【００１７】
カメラ２は、フィルム装填モードに設定されると、スマートフォン３から個人モード情報ＤＳを受信し、受信した個人モード情報ＤＳに基づいてスマートフォン３のユーザの専用の記録領域を設定し、設定した記録領域を使用可能にする。すなわち、カメラ２は、仕様情報によって指定される枚数の画像を記録できるだけの記録領域を画像記録部に設定する。
【００１８】
その後、カメラ２は、個人モードに設定されると、図１Ａ（ｂ）で示すように、個人モードになっていることを示すアイコン４を表示する。このアイコン４は、スマートフォン３において表示されるアイコン４と同様の写真用パトローネアイコン４（パトローネアイコン４ａ及びフィルムアイコン４ｂ）である。なお、図１Ａでは、写真用パトローネアイコン４を示す符号はスマートフォン３とカメラ２とで同一になっている。これは、フィルム装填処理によって、スマートフォン３からカメラ２に同一の写真用フィルムパトローネが受け渡されたことを示したものである。
【００１９】
個人モード中に、ユーザによってレリーズボタンがオンされると、カメラ２は、撮影を行い、撮影によって取得される画像を暗号化し、フィルム装填処理において設定した記録領域に暗号化した画像を記録する。特定の情報機器でしか特定のフィルム装填と、その特定フィルムに記録されたように対応づけられた画像やコンテンツ確認が出来ないようにしておけば、暗号化しなくともよい。このとき、カメラ２は、写真用パトローネアイコン４のフィルムアイコン４ｂに、図１Ａ（ｂ）に示すように、撮影により取得された画像６を表示する。また、カメラ２は、パトローネアイコン４ａに、現在のユーザの名前、例えば娘の名前「〇〇〇さん」等を表示する。もちろん、プライバシー上、この名前は、実名である必要がない。ユーザによる確認の後、図１Ｂ（ｂ）に示すように、画像６がパトローネアイコン４ａに収納されていくかのような表示がなされる。画像６がパトローネアイコン４ａから引き出されていくかのような表示がなされるようになっていてもよい。
【００２０】
カメラ２の専用の記録領域に記録された画像は、カメラ２だけでは再生されず、スマートフォン３とカメラ２との連携動作による「現像」処理によって再生される。現像処理は、カメラ２の専用の記録領域に記録された画像を、専用の再生機器としてのスマートフォン３で再生する一連の処理を、銀塩カメラからフィルムパトローネを取り外して現像する動作になぞらえたものである。現像処理では、カメラ２は、カメラ２の固有の識別情報とカメラ２に設定されているスマートフォン３のユーザに対応した記録領域の識別情報とを含む画像返信情報ＰＤをスマートフォン３に返送する。この画像返信情報ＰＤに基づいて、スマートフォン３は、記録領域に対応したパトローネアイコン４ａを表示する。  
その後、スマートフォン３のユーザは、パトローネアイコン４ａを選択する。この選択を受けて、カメラ２は、選択されたパトローネアイコン４ａに対応した暗号化画像を、この暗号化画像の暗号を解くために必要となる暗号情報（例えばパスワード）とともにスマートフォン３に送信する。スマートフォン３は、暗号情報に基づいて暗号化画像の暗号を解き、暗号が解かれた画像を表示部に表示する。プライバシー保護はレベルがあるので、必ずしも暗号化する必要はない。例えば、スマートフォン３は、図１Ｂ（ａ）に示すように、写真用パトローネアイコン４のフィルムアイコン４ｂの画像にカメラ２から返送された画像７を合成表示すると、あたかも自分のフィルムに写し込まれ、その画像がフィルムと共に取り出されたことが直感的に理解できる。もちろん、この合成はカメラ側で行ってもよい。いずれの場合も、この合成を解除して画像だけ拡大して見えるようになっている事が好ましい。このように、フィルムの出し入れは、同時に画像ファイルがコピーされて出てくるのではなく、カメラから丸ごと取り出されるようなイメージをユーザに与えることが重要である。言うまでもなく、画像を受け取れれば満足するユーザもおり、設定によってはコピーでも良い。
【００２１】
以上のように、情報管理システム１では、スマートフォン３からカメラ２への写真撮影の依頼、カメラ２における写真撮影、カメラ２からスマートフォン３への撮影済のフィルムの返送、スマートフォン３におけるカメラ２から返送された撮影済のフィルムの現像という一連の処理が行われる。このような一連の処理の間に、スマートフォン３とカメラ２とで写真用パトローネアイコン４を表示することにより、ユーザは、恰も、銀塩カメラによって写真撮影を行っている如くの感覚を得るものとなる。このとき、余計なデータがカメラ内に残らない感じを出せば、ユーザは、プライベートな記録がカメラの持ち主に見られないことを実感できる。また、受け渡し時や現像処理中には画像そのものではなく、パトローネアイコン４ａを表示することにより、プライバシーの保護を図ることも可能である。
【００２２】
次に、カメラ２とスマートフォン３との具体的な構成について説明する。  
図２はカメラ２のブロック構成図を示す。このカメラ２は、コンピュータから成るカメラ制御部１０と、撮影部１１と、操作部１２と、表示部１３と、記録部１４と、機器通信部１５とを含む。  
撮影部１１は、被写体を撮影してその画像信号を出力する。この撮影部１１は、撮影レンズ、フォーカスレンズ、ズームレンズ、絞り、シャッタ等を含む撮影光学系と、この撮影光学系を通った被写体からの光像を撮像信号に変換する撮像素子とを含む。
操作部１２は、ユーザによってマニュアル操作される各種の操作部材を備える。この操作部材は、例えば被写体に対するフォーカス調整、被写体の明るさを調整する絞りの操作、被写体に対するズーム操作等を行うための部材や、さらには撮影操作を行うためのレリーズボタン、動画ボタン、モードダイヤル、選択キー、電源ボタン等を備える。モードダイヤルは、例えば撮影モード、再生モード、フィルム装填モード、現像モード等のモードの切り替えを行うものである。  
表示部１３は、撮影モードにおいてはスルー画像や、撮影動作によって取得された画像を表示する。また、表示部１３は、再生モードにおいては、例えば記録部１４に記録されている静止画、動画等を表示する。また、表示部１３は、フィルム装填処理時、現像処理時には、前述した写真用パトローネアイコン４等も表示する。このような表示部１３は、例えば液晶ディスプレイ（以下、ＬＣＤと称する）から成る。
【００２３】
記録部１４には、通信相手情報記録部４０と、画像記録部４１と、フィルム関連情報記録部４２とが形成されている。通信相手情報記録部４０には、当該カメラ２の通信相手となるスマートフォン３に関する情報が記録されている。このスマートフォン３に関する情報は、スマートフォン３のユーザの識別情報を含む。  
画像記録部４１には、撮影モード時に、当該カメラ２の撮影動作によって取得される静止画又は動画等が記録される。また、画像記録部４１の一部の記録領域は、スマートフォン３の個々に対して関係付けられたユーザ専用の記録領域として使用される。図３はユーザ専用の記録領域の模式図を示す。ユーザ専用の記録領域は、それぞれスマートフォン３を所有するユーザ、例えば家族を構成する父親用の記録領域３０と、母親用の記録領域３１と、子供（息子、娘）用の記録領域３２とを有する。このユーザ専用の記録領域３０〜３２は、家族に限らず、複数の友人、グループの構成員等のための記録領域であってもよい。これら記録領域３０〜３２は、例えばスマートフォン３から送信される個人モード情報ＤＳに従って設定される。これら記録領域３０〜３２は、ユーザのマニュアル操作によって予め設定されていてもよい。この記録領域は、フィルム装填処理を経て使用可能となる。そして、個人モード中の撮影により得られた画像は、対応する記録領域に記録される。この記録領域に記録された画像は、現像処理において再生される。なお、父親用の記録領域３０と、母親用の記録領域３１と、子供（息子、娘）用の記録領域３２のそれぞれは複数設定され得る。
フィルム関連情報記録部４２には、記録領域の識別情報と、スマートフォン３のユーザの識別情報とが関連付けて記録される。また、フィルム装填処理中に個人モード情報ＤＳが受信された場合、フィルム関連情報記録部４２には、個人モード情報ＤＳが記録される。
【００２４】
機器通信部１５は、当該カメラ２とスマートフォン３との間でデータ通信を行うものである。この通信部が用いる通信技術としては、有線方式でも良いが、近年、様々な無線方式が提案されており、赤外線通信を始め、電波を用いた無線ＬＡＮやブルートゥース（登録商標）、ＮＦＣ（登録商標）などが知られており、通信する情報の大きさやスピード、消費電力、回路やアンテナのサイズやコストなどを考慮して、適宜、選択が可能である。また、認証や通信時の手続きのしやすさなどを考慮しても良い。ここでは、携帯電話の基地局や、ホットスポットなどと通信する通信部とは区別している。しかし、基地局などを介して、機器間通信を補助するような技術を併用しても良いことは言うまでもない。この発明では、プライバシーを重視した側面があるので、パスワードや生体認証のシステムなどを併用しても良い。ただし、こうした工夫はユーザには、簡単には分かり難いので、この発明では、パトローネが表示されたりされなかったりすることによって、これが、正しく管理されて、機能していることが分かるようになっている。これが安心感に繋がる。近接させてその場で通信し、すぐに表示を確認できる方式の方が安心感が出る場合もある。
【００２５】
カメラ制御部１０は、当該カメラ制御部１０に設けられたプログラムメモリ２５に予め記憶されているカメラ制御プログラムを実行し、被写体の撮影動作又は画像の再生等を行うために、撮影部１１、操作部１２、表示部１３、機器通信部１５を動作制御する。また、カメラ制御部１０は、個人モードに設定されると、プログラムメモリ２５に予め記憶されている情報管理プログラムを実行して個人モードの動作制御を行うもので、撮影制御部２０と、表示制御部２１と、通信制御部２２と、記録制御部２３と、モード設定部２４と、上記プログラムメモリ２５とを含む。
【００２６】
撮影制御部２０は、撮影部１１の撮影光学系を動作制御して被写体のスルー画像を取得し、レリーズボタンのオンによりＡＦ処理やＡＥ処理を行って被写体を撮像し、その画像を取得する撮影動作の制御を行う。  
表示制御部２１は、表示部１３による各種の画像の表示を制御する。  
通信制御部２２は、機器通信部１５を制御して当該カメラ２とスマートフォン３との間でデータ通信を行わせる。  
記録制御部２３は、撮影動作によって取得された画像を記録部１４に記録する。
【００２７】
モード設定部２４は、カメラ制御部１０のモードを、例えば撮影モード、再生モード、フィルム装填モード、現像処理モードのいずれかに切り替える。
【００２８】
プログラムメモリ２５には、上記カメラ制御プログラムが予め記憶されていると共に、個人モードに設定されたときに実行される情報管理プログラムが予め記憶されている。この情報管理プログラムは、カメラ制御部１０に、外部の情報機器としてスマートフォン３から当該外部の情報機器に係る関連情報である個人モード情報を受信させる機能と、個人モード情報が受信されたときに情報が記録可能に設定される記録領域であって、個人モード情報を送信した外部の情報機器としてスマートフォン３の専用の記録領域に情報を記録させる機能と、専用の記録領域に記録されている情報を、対応する外部の情報機器としてスマートフォン３のみに送信する機能とを実現させる。  
本発明では、家族などでのカメラ共有時などは、親子の誰かの特定のスマートフォンや携帯端末とのみ通信が可能なような認証が行われていることを想定しており、それ以外の機器通信は出来ないようにハード上、ソフト上、通信技術では公知の様々な工夫がなされている。なお、このように特定の管理によって規定されている設計や工夫であるから、必ずしも、「のみ」という表現は適切ではない。つまり、他の機器でもパスワード設定や生体認証など必要な認証手続きを行えば、通信可能なようにする設計も可能だからである。また、もし、この「のみ」に固執した設計にすると、携帯機器を紛失した際などに、せっかく撮影し記録したコンテンツが永久に取り出せなくなってしまう。つまり、セキュリティレベルは必ずしも単一である必要はない。未成年の子供のものであれば、保護者が確認可能としてもよい。よって、「優先して」通信すると記載しても良いが、この発明の特徴を端的に表すために、実施例中には、「のみ」という表現を主に使用している箇所があるが、それに限らない。
【００２９】
一方、図４はスマートフォン３のブロック構成図を示す。このスマートフォン３は、コンピュータから成るスマートフォン制御部５０と、撮影部５１と、操作部５２と、表示部５３と、記録部５４と、機器通信部５５と、基地局通信部５６とを含む。
【００３０】
撮影部５１は、被写体を撮影してその画像信号を出力するもので、撮影光学系と、この撮影光学系を通った被写体からの光像を撮像信号に変換する撮像素子とを含む。  
操作部５２は、ユーザによってマニュアル操作される各種の操作部材、例えば電話機能、インターネットブラウジング機能又は電子メール機能を選択するための部材、撮影モードと、再生モード、フィルム装填モード、現像モードといったモード切替をするための部材、電源ボタン等を備える。なお、操作部５２は、表示部５３の表示面上に設けられたタッチパネルにより構成されてもよい。
【００３１】
表示部５３は、撮影モードにおけるスルー画像や、撮影動作によって取得された画像、再生モードにおいて再生される静止画、動画、さらにはカメラ２から送信されてきた画像等を表示するもので、例えば液晶ディスプレイ（以下、ＬＣＤと称する）から成る。  
記録部５４には、通信相手情報記録部７０と、画像記録部７１とが形成されている。通信相手情報記録部７０には、当該スマートフォン３の通信相手となるカメラ２の固有の識別情報が記録されている。この他、通信相手情報記録部７０には、電話番号帳、インターネットや電子メールのアドレスなどが記録される。画像記録部７１には、スマートフォン３の撮影動作によって取得される静止画又は動画、カメラ２から送られてきた画像、インターネットを介してダウンロードしたデータなどが記録される。
【００３２】
機器通信部５５は、当該スマートフォン３とカメラ２との間でデータ通信を行うものである。  
基地局通信部５６は、図示しない基地局との間で通信を行う機能を有する。
【００３３】
スマートフォン制御部５０は、当該スマートフォン制御部５０に設けられたプログラムメモリ６５に予め記憶されているスマートフォン制御プログラムを実行し、電話動作、インターネットブラウジング動作、電子メール動作、又は撮影動作等を行うために、撮影部５１、操作部５２、表示部５３、機器通信部５５を動作制御する。また、スマートフォン制御部５０は、プログラムメモリ６５に予め記憶されている情報管理プログラムを実行してカメラ２の個人モードの動作設定を行うもので、撮影制御部６０と、表示制御部６１と、通信制御部６２と、記録制御部６３と、記録領域設定部６４と、上記プログラムメモリ６５とを含む。
【００３４】
撮影制御部６０は、撮影部５１の撮影光学系を動作制御して被写体のスルー画像を取得し、ＡＦ処理やＡＥ処理を行って被写体を撮影し、その画像を取得する撮影動作の制御を行う。  
表示制御部６１は、撮影モード時に取得されたスルー画像や、撮影動作によって取得された画像、再生モード時に再生される静止画、動画等を表示部５３に表示する。この表示制御部６１は、フィルム装填モード又は現像モードにおいて、写真用パトローネアイコン４を表示部５３に表示させる。この写真用パトローネアイコン４の情報は、例えば記録部５４に予め記録されている。
【００３５】
通信制御部６２は、機器通信部５５を制御して当該スマートフォン３とカメラ２との間でデータ通信を行わせる。また、通信制御部６２は、インターネットブラウジング動作時、電子メール動作時、電話動作時には、基地局通信部５６を制御して当該スマートフォン３と図示しない基地局との間の通信を行わせる。  
記録制御部６３は、撮影モード時の撮影動作によって取得された画像を記録部５４に記録する。
【００３６】
記録領域設定部６４は、個人モード情報ＤＳをカメラ２に送信する。この個人モード情報ＤＳに含まれる仕様情報に基づいて、カメラ２は、記録部１４にスマートフォン３のユーザ専用の記録領域３０、３１又は３２を設定する。
【００３７】
プログラムメモリ６５には、上記スマートフォン制御プログラムが予め記憶されていると共に、フィルム装填モード時や現像モード時に実行される情報管理プログラムが予め記憶されている。この情報管理プログラムは、スマートフォン制御部５０に、情報管理装置に係る関連情報である個人モード情報を外部の情報機器としてカメラ２に送信させる機能と、個人モード情報の送信に応じて外部の情報機器としてカメラ２から送信された情報を受信させる機能と、受信された情報を再生する機能とを実現させる。
【００３８】
［カメラ２の動作制御］
次に、本システム１におけるカメラ２の動作について図５Ａ及び図５Ｂに示すカメラ制御フローチャートに従って説明する。  
カメラ２のモード設定部２４は、ステップＳ１０１において、操作部１２のモードダイヤルがユーザのマニュアル操作によって撮影モードに設定されたか否かを判定する。このモード選択では、表示部１３に撮影モード、再生モード等のモードの選択項目を表示させ、これら選択項目の中からユーザがタッチパネルの操作によっていずれか１つのモードを選択するようにしてもよい。  
この判定の結果、撮影モードに設定されると、撮影制御部２０は、ステップＳ１０２において、撮影部１１の撮影光学系及び撮像素子を動作制御して被写体のスルー画像を取得する。  
モード設定部２４は、ステップＳ１０３において、個人モードに設定されたか否かを判定する。この個人モードは、例えば、図６（ａ）に示すようにして表示部１３に表示されるモード選択画面においてユーザのマニュアル操作によって個人モードが選択された場合に設定される。この判定の結果、個人モードに設定されていない、すなわち通常の撮影モード（共用モード）であれば、表示制御部２１は、ステップＳ１０４において、撮影制御部２０により取得されたスルー画像を表示部１３に表示する。
【００３９】
撮影制御部２０は、ステップＳ１０５において、操作部１２に対するユーザのマニュアル操作によって露出時間等の撮影パラメータが変更されたか否かを判定する。この判定の結果、撮影パラメータが変更されると、撮影制御部２０は、ステップＳ１０６において、撮影パラメータの変更を行う。
【００４０】
撮影パラメータの変更の後、撮影制御部２０は、ステップＳ１１１において、レリーズボタンがユーザのマニュアル操作によってオンになったか否かを判定する。なお、ユーザのマニュアル操作による撮影パラメータの変更が無い場合でも撮影制御部２０は、同ステップＳ１１１において、レリーズボタンがユーザのマニュアル操作によってオンになったか否かを判定する。
【００４１】
この判定の結果、レリーズボタンがオンになると、撮影制御部２０は、ステップＳ１１２において、撮影部１１を動作制御して被写体に対するＡＦ処理を行い、ステップＳ１１３において、撮影動作を行い、被写体の画像を取得する。そして、記録制御部２３は、当該取得した画像を記録部１４に記録する。その後、表示制御部２１は、ステップＳ１１４において、撮影制御部２０により取得された被写体の画像を、ユーザの確認のため、表示部１３に規定時間だけ表示する。この後、処理はステップＳ１０１に戻る。なお、このカメラ制御部１０は、レリーズボタンが所定期間オンにならないときも処理はステップＳ１０１に戻る。
【００４２】
一方、ステップＳ１０３の判定の結果、個人モードに設定されていると、記録制御部２３は、ステップＳ１２１において、フィルムが装填されているか否かを判定する。「フィルムが装填されている」状態とは、フィルム装填処理を経て記録部１４に使用可能となっている記録領域がある状態を言う。詳細については後述する。
【００４３】
この判定の結果、フィルムが装填されていると判定されれば、表示制御部２１は、ステップＳ１２２において、図１Ａに示すように写真用パトローネアイコン４をカメラ２の表示部１３に表示する。なお、個人モード中において表示部１３に表示される写真用パトローネアイコン４のパトローネアイコン４ａには、例えば、現在のカメラ２のユーザ、すなわちカメラ２を個人モードで使用しようとしているスマートフォン３のユーザの名前（例えば娘の名前）が表示される。
【００４４】
撮影制御部２０は、ステップＳ１２３において、フィルム関連情報記録部４２に記録された個人モード情報ＤＳを読み出し、この個人モード情報ＤＳに含まれる撮影パラメータに従って、個人対応パラメータの設定を行う。すなわち、撮影制御部２０は、個人モード情報ＤＳに含まれる撮影パラメータ情報に従って、カメラ２の撮影パラメータを設定する。これにより、カメラ２は、スマートフォン３により撮影するのと同一の撮影パラメータにより撮影を行うことができる。
【００４５】
表示制御部２１は、ステップＳ１２４において、撮影制御部２０により取得されたスルー画像を表示部１３に表示する。  
撮影制御部２０は、ステップＳ１２５において、操作部１２に対するユーザのマニュアル操作によって撮影パラメータが変更されたか否かを判定する。この判定の結果、撮影パラメータが変更されると、撮影制御部２０は、ステップＳ１２６において、撮影パラメータの変更を行う。この撮影パラメータの変更の後、又は撮影パラメータが変更されていなければ、撮影制御部２０は、ステップＳ１３１において、レリーズボタンがユーザのマニュアル操作によってオンになったか否かを判定する。
【００４６】
この判定の結果、レリーズボタンがオンになると、撮影制御部２０は、ステップＳ１３２において、撮影部１１を動作制御して被写体に対するＡＦ処理を行い、ステップＳ１３３において、撮影動作を行い、被写体の画像を取得する。なお、レリーズボタンが所定期間オンにならなければ、処理はステップＳ１０１に戻る。
【００４７】
表示制御部２１は、ステップＳ１３４において、撮影制御部２０の撮影により取得された画像６を、図１Ａ（ｂ）に示すように表示部１３に表示されている写真用パトローネアイコン４のフィルムアイコン４ｂ中に表示する。ユーザは、フィルムアイコン４ｂ中に表示された画像６を見ることによって撮影した画像を確認できる。  
記録制御部２３は、ステップＳ１３５において、撮影により取得された画像をパトローネ収納するか否か、すなわち撮影により取得された画像を記録部１４の対応するフィルム領域に記録するか否かを判定する。この「パトローネ収納」は、画像を現在の使用可能となっている記録領域に記録する処理を、銀塩フィルムをフィルムパトローネに収納する動作になぞらえたものである。なお、パトローネ収納するか否かの判定は、例えばユーザの操作部１２の操作を判定することにより行われる。この結果、撮影により取得された画像をパトローネ収納しないのであれば、処理はステップＳ１３４に戻る。この場合、確認表示が継続される。なお、規定時間の確認表示の後、処理がステップＳ１０１に戻るようにしてもよい。
【００４８】
ステップＳ１３５の判定の結果、撮影により取得された画像をパトローネ収納するのであれば、記録制御部２３は、ステップＳ１３６において、画像を暗号化し、暗号化した画像をフィルム装填処理で設定された記録領域に記録する。この後、処理は、ステップＳ１０１に戻る。
【００４９】
画像の暗号化は、既知の手法によって行われる。個人モード情報ＤＳにスマートフォン３の機器情報が含まれている場合には、暗号化の前に、例えばスマートフォン３に設けられた表示部の画面サイズに合わせて画像を拡大又は縮小するようにしてもよい。また、個人モード情報ＤＳの撮影パラメータとして画像の特殊効果処理の内容が設定されている場合には、暗号化の前に、画像に特殊効果を付加するようにしてもよい。さらに、撮影により取得された画像を、ユーザの操作によって消去できるようにしてもよい。
【００５０】
なお、パトローネ収納の際、表示制御部２１は、図１Ｂ（ｂ）に示すように、写真用パトローネアイコン４のフィルムアイコン４ｂが１コマ分だけパトローネアイコン４ａ内に収納されていくかのような表示をする。なお、パトローネ収納の際、記録制御部２３は、専用の記録領域に記録される画像の枚数を、スマートフォン３から送信されてきた個人モード情報ＤＳに含まれる画像の枚数に規制する。すなわち、記録制御部２３は、記録領域に記録される画像の枚数が規定の枚数になっていた場合には、仮にレリーズボタンがオンされた場合であっても記録を行わない。このようにして記録領域に記録枚数を規制することでも、銀塩カメラのような使用感をユーザに与えることができる。
【００５１】
ステップＳ１２１での判定の結果、フィルムが装填されていなければ、記録制御部２３は、ステップＳ１２７において、フィルム装填処理が必要であることの警告、例えば図６（ｂ）に示す「フィルム装填してください」のような警告メッセージを表示部１３に表示すると共に、音声によっても発する。
【００５２】
一方、ステップＳ１０１の判定の結果、撮影モードでなければ、表示制御部２１は、ステップＳ１４１において、再生モードであるか否かを判定する。  
この判定の結果、再生モードであれば、表示制御部２１は、ステップＳ１４２において、記録部１４の画像記録部４１に記録されている画像のうち個人モードで撮影された画像以外の画像を全て表示部１３に一覧表示する。
【００５３】
表示制御部２１は、ステップＳ１４３において、個人モードで撮影された画像が記録されている各ユーザ専用の記録領域を表すパトローネアイコン４ａを表示部１３に表示する。ここでは、表示制御部２１は、個人モードの全てのユーザに対応したパトローネアイコン４ａを表示する。各パトローネアイコン４ａには、ユーザの名前等が表示される。
【００５４】
表示制御部２１は、ステップＳ１４４において、表示部１３に表示されている画像のうち、表示のために選択された画像があるか否かを判定する。この画像の選択は、例えば表示部１３に設けられたタッチパネルに対してユーザがタッチ操作することで行われる。
【００５５】
この判定の結果、タッチ操作により画像が選択されると、表示制御部２１は、ステップＳ１４５において、選択された画像を表示部１３に再生表示する。ただし、タッチ操作により選択された画像がパトローネアイコン４ａである場合に、表示制御部２１は、選択された画像の再生表示を行わない。このように個人モードで撮影された画像は、再生モード時には再生されず、後述の現像処理において再生される。なお、個人モードで撮影された画像を再生できない旨を例えば表示によってユーザに警告するようにしてもよい。
【００５６】
表示制御部２１は、ステップＳ１４６において、表示部１３に再生表示する画像を変更するか否かを判定する。この判定の結果、画像を変更するのであれば、表示制御部２１は、ステップＳ１４７において、別の画像を選択して表示部１３に再生表示する。この別の画像の選択は、ステップＳ１４４での画像の選択と同様に、表示部１３に設けられたタッチパネルに対してユーザがタッチ操作することで行われる。
【００５７】
表示制御部２１は、ステップＳ１４８において、画像の再生表示が終了であるか否かを判定する。判定の結果、再生表示が終了でなければ、処理はステップＳ１４６に戻り、終了であれば、処理はステップＳ１０１に戻る。
【００５８】
一方、ステップＳ１４１の判定の結果、再生モードでなければ、通信制御部２２は、ステップＳ１５１において、フィルム現像モードに設定されているか否かを判定する。フィルム現像モードでは、ユーザ専用の記録領域に記録されている画像が、対応するユーザのスマートフォン３に送信され、スマートフォン３において再生される。なお、フィルム現像モード設定の判定は、例えば図７（ａ）に示すように表示部１３に表示されている撮影モード、再生モード、フィルム装填モード、フィルム現像モードの中から、図７（ｂ）に示すようにユーザがフィルム現像モードを選択したか否かを判定することにより行われる。
【００５９】
フィルム現像モードに設定されていると、表示制御部２１は、ステップＳ１５２において、フィルム関連情報記録部４２に記録されている情報に基づいて、画像記録部４１に設定されている記録領域を表すアイコンであるパトローネアイコン４ａ、例えば図７（ｃ）に示すように父親、母親、又は子供（息子、娘）等の専用のパトローネアイコン４ａを表示部１３に一覧表示する。パトローネアイコン４ａを一覧表示することにより、どのユーザが何枚の写真を撮影したかという情報を知ることができる。なお、パトローネアイコン４ａには、ユーザの名前だけでなく、例えば撮影場所、撮影対象の被写体の名称といった情報を表示させるようにしてもよい。
【００６０】
ユーザが何れかのパトローネアイコン４ａを選択すると、通信制御部２２は、ステップＳ１５３において、選択されたパトローネアイコン４ａ（記録領域）に対応するユーザのスマートフォン３との間でデータ通信を行うための設定を行う。  
目的のスマートフォン３との間で通信が確立すると、通信制御部２２は、このスマートフォン３に対して、ユーザによって選択されたパトローネアイコン４ａに対応した記録領域の情報を含む画像返信情報ＰＤを送る。その後、通信制御部２２は、スマートフォン３から記録領域の指定情報が送られるまで待機する。記録領域の指定情報が送られると、通信制御部２２は、スマートフォン３からの記録領域の指定情報によって特定される記録領域に記録されている暗号化画像を、暗号情報とともにスマートフォン３に送信する。例えば、ユーザ（娘）のスマートフォン３との間で通信が確立された場合には、ユーザ（娘）の専用の記録領域３２のうちの指定情報によって特定された記録領域に記録されている暗号化画像が送信される。一方、指定情報によって特定された記録領域が、ユーザ（娘）の専用の記録領域３２の中にない場合には、暗号化画像は送信されない。このような画像の送信が行われた後、スマートフォン３は、現像処理を行う。
【００６１】
一方、ステップＳ１５１の判定の結果、フィルム現像モードでなければ、記録制御部２３は、ステップＳ１６１において、フィルム装填モードであるか否かを判定する。なお、フィルム装填モード設定の判定は、表示部１３に表示されている撮影モード、再生モード、フィルム装填モード、フィルム現像モードからユーザがフィルム装填モードを選択したか否かを判定することにより行われる。この判定の結果、フィルム装填モードでなければ、処理は、ステップＳ１０１に戻る。
【００６２】
一方、フィルム装填モードであれば、通信制御部２２は、ステップＳ１６２において、スマートフォン３との間でデータ通信を行えたか否かを判定する。この判定の結果、スマートフォン３との間でデータ通信を行えたのであれば、通信制御部２２は、ステップＳ１６３において、スマートフォン３から個人モード情報ＤＳを取得し、受信した個人モード情報ＤＳをフィルム関連情報記録部４２に記録する。そして、記録制御部１６３は、ステップＳ１６４において、受信した個人モード情報ＤＳに基づいて画像記録部４１に記録領域を設定する。すなわち、記録制御部１６３は、個人モード情報ＤＳの仕様情報によって指定された枚数の画像を記録できるだけの記録領域を設定する。さらに、記録制御部２３は、この記録領域の識別情報を設定する。また、記録制御部２３は、識別情報を設定した記録領域を使用可能に設定する。その後、記録制御部２３は、記録領域の識別情報をスマートフォン３のユーザの識別情報と関連付けてフィルム関連情報記録部４２に記録する。このようなフィルム装填処理の後、処理がステップＳ１０１に戻る。これにより、個人モードに設定された後のステップＳ１２１において、フィルムが装填されたと判定される。
【００６３】
なお、ステップＳ１６３において記録された個人モード情報ＤＳは、例えばカメラ２の動作モードが通常の撮影モード、再生モード、現像モードの何れかに変更された場合にフィルム関連情報記録部４２から消去される。また、ステップＳ１６４において使用可能となった記録領域は、例えばカメラ２の動作モードが通常の撮影モード、再生モード、現像モードの何れかに変更された場合に使用不能になる。
【００６４】
［スマートフォン３の動作制御］  
次に、本システム１におけるスマートフォン３の動作について図８Ａ及び図８Ｂに示すスマートフォン制御フローチャートに従って説明する。  
スマートフォン３のスマートフォン制御部５０は、ステップＳ２００において、例えば図９（ａ）に示すような初期画面を表示部５３に表示する。この初期画面には、フィルム装填モード、フィルム現像モード、メールモード、又は電話モードの項目が表示される。
スマートフォン制御部５０は、ステップＳ２０１において、初期画面上でフィルム装填モードが選択されたか否かを判定する。この判定の結果、ユーザのマニュアル操作によってフィルム装填モードが選択されると、スマートフォン制御部５０は、ステップＳ２０２において、記録領域の仕様等を決定するための表示を行う。まず、スマートフォン制御部５０は、図９（ｂ）に示すような記録領域に記録可能な画像の枚数をユーザに選択させるためのアイコンを表示部５３に表示する。記録可能な画像の枚数は、例えば２４枚又は３６枚といった銀塩フィルムで記録可能な枚数に合わせられている。ここでは、記録枚数の設定の例を示したが、記録枚数の他に、例えば個人モードの撮影により得られた画像に付加する特殊効果の内容等を含む撮影パラメータ、現像処理の対象の画像を記録した機器、現像処理を実行させる機器である個人モード情報ＤＳの送信先の情報も設定される。
【００６５】
各種の記録枚数の設定後、スマートフォン制御部５０は、ステップＳ２０３において、設定された仕様を決定するための画面を表示部５３に表示する。図９（ｃ）は仕様決定画面の一例を示す。この画面では、例えばユーザによって設定された仕様の一覧が表示される。ユーザの決定操作により、処理がステップＳ２０４に進む。
【００６６】
通信制御部６２は、ステップＳ２０４において、ユーザのマニュアル操作によってカメラ２との間でデータ通信を行うか否かを判定する。この判定の結果、データ通信を行うのであれば、通信制御部６２は、ステップＳ２０５において、ステップＳ２０３で設定された仕様や撮影パラメータ等に従って個人モード情報ＤＳを生成し、生成した個人モード情報ＤＳをカメラ２に送信する。この個人モード情報ＤＳには、スマートフォン３のユーザの識別情報、仕様情報、撮影パラメータ、機器情報などが含まれる。
【００６７】
通信制御部６２は、ステップＳ２１１において、規定時間内にデータ通信が終了したか否かを判定する。この判定の結果、規定時間内にデータ通信が終了していなければ、通信制御部６２は、ステップＳ２１２において、データ通信が終了していない旨の警告を表示部５３に表示する。規定時間内にデータ通信が終了すると、表示制御部６１は、ステップＳ２１３において、例えばアイコン移動表示を行う。アイコン移動表示とは、図１Ａ（ａ）に示すような写真用パトローネアイコン４を移動させるように表示することで、あたかも写真用パトローネアイコン４がカメラ２に転送されていくかのような視覚効果を与える表示である。表示制御部６１は、ステップＳ２１４において、個人モード情報ＤＳが送信された旨（ＯＫ表示）を表示部５３に表示する。
【００６８】
スマートフォン制御部５０は、ステップＳ２０１の判定の結果、フィルム装填モードでなければ、ステップＳ２２１において、フィルム現像モードであるのか否かを判定する。図１０（ａ）に示すようにユーザのマニュアル操作によってフィルム現像モードが選択されると、スマートフォン制御部５０は、ステップＳ２２２において、カメラ２からの通信を待つ。
【００６９】
通信制御部６２は、ステップＳ２２３において、カメラ２との間でデータ通信が可能であったか否かを判定する。この判定の結果、データ通信が可能であれば、通信制御部６２は、カメラ２から画像返信情報ＰＤを受信する。前述したように画像返信情報ＰＤは、カメラ２の固有の識別情報と、現在のスマートフォン３のユーザに対してカメラ２に設定されている記録領域の情報とを含む。
【００７０】
なお、カメラ２との間でデータ通信が確立されなければ、通信制御部６２は、ステップＳ２２４において、その旨の警告を表示部５３に表示する。
【００７１】
表示制御部６１は、ステップＳ２２５において、画像返信情報ＰＤに含まれる記録領域の情報に従って、スマートフォン３のユーザに対して設定されている記録領域を示す情報（例えば、記録領域を表す文字）を表示部５３に一覧表示する。図１０（ｂ）は記録領域の情報の一覧表示の一例を示す。この一覧表示では、記録領域は、フィルム「１」「２」「３」として区別されている。フィルム「１」「２」「３」といった表示に限らず、ユーザ名を表示してもよい。また、文字情報でなく、アイコンで表示してもよい。
【００７２】
表示制御部６１は、ステップＳ２２６において、記録領域が選択されたかを判定する。この判定の結果、記録領域が選択されると、通信制御部６２は、ステップＳ２２７において、選択された記録領域に記録されている暗号化画像の送信を要求するための指定情報をカメラ２に送信する。この指定情報の送信により、カメラ２から受信された暗号化画像は、暗号情報とともに画像記録部７１に記録される。また、暗号化画像の受信の際、表示制御部は、写真用パトローネアイコン４が転送されていくかのような表示であるアイコン移動表示を表示部５３に表示する。
【００７３】
表示制御部６１は、ステップＳ２２８において、画像記録部７１に記録された暗号化画像及び暗号情報を読み出す。ステップＳ２２９において、表示制御部６１は、暗号情報を用いて暗号化画像を復号し、復号された画像を表示部５３に一覧表示する。図１０（ｃ）は表示部５３に一覧表示されている複数の画像を示す。
【００７４】
表示制御部６１は、ステップＳ２３１において、表示部５３に一覧表示されている複数の画像のうちいずれか１枚の画像がユーザのマニュアル操作によって選択されたか否かを判定する。この判定の結果、１枚の画像が選択されると、表示制御部６１は、ステップＳ２３２において、選択された画像を表示部５３に再生表示する。
【００７５】
表示制御部６１は、ステップＳ２３３において、再生表示する画像を変更するか否かを判定する。この画像の変更では、複数の画像が再度、表示部５３に一覧表示され、当該一覧表示されている複数の画像のうちいずれか１枚の画像がユーザのマニュアル操作によって再度選択される。  
この判定の結果、画像を変更するのであれば、表示制御部６１は、ステップＳ２３４において、再生表示する画像を変更して表示部５３に再生表示する。なお、表示制御部６１は、再生表示する画像の変更がなければ、ステップＳ２３５において、画像の再生表示を終了するか否かを判定する。例えば、ユーザのマニュアル操作によって再生表示の終了が指示されたのであれば、処理はステップＳ２００に戻る。ステップＳ２３５において、ユーザのマニュアル操作によって再生表示の終了が指示されていないのであれば、処理はステップＳ２３３に戻る。
【００７６】
このように第１の実施の形態によれば、カメラ２は、スマートフォン３と通信可能となっている間だけ、対応するスマートフォン３に対して関係付けられたユーザ専用の記録領域３０〜３２に画像を記録する。また、カメラ２は、スマートフォン３と通信可能となっている間だけ、ユーザ専用の記録領域３０〜３２に記録された画像を、対応するスマートフォン３に送信する。このように、第１の実施の形態では、例えばユーザ（娘）がスマートフォン３を所有しつつカメラ２を操作して取得した画像は、ユーザ（娘）専用の記録領域３２に記録され、当該記録領域３２に記録された画像は、ユーザ（娘）の所有するスマートフォン３でなければ、再生することができない。これにより、カメラ２が複数のユーザ、例えば家族を構成する父親、母親、子供（息子、娘）、又は複数の友人、グループ等によって共用されても、ユーザ個別の画像の管理ができる。
【００７７】
また、スマートフォン３からカメラ２に、スマートフォン３において設定された撮影パラメータを送信することで、カメラ２では、スマートフォン３により被写体の撮影を行っていたときの撮影条件と同一の撮影条件で被写体の撮影を行うことができる。
【００７８】
また、カメラ２とスマートフォン３とでは、それぞれ例えば銀塩カメラによって写真撮影に用いられる写真フィルムを模したパトローネアイコン４ａを含む写真用パトローネアイコン４を表示させている。これにより、ユーザは、あたかも銀塩カメラによって写真撮影を行うのと同等の感覚で写真撮影を行うことができる。また、専用の記録領域に記録されている画像は基本的にはパトローネアイコン４ａの形で表示されるので、プライバシーの保護にも繋がる。
【００７９】
前述した実施形態では、フィルム装填処理が行われる毎に新たな記録領域が設定される例を示している。これに対し、フィルム装填処理において、既存の記録領域を選択できるようにしてもよい。この場合、スマートフォン３のユーザは、フィルム装填モードにおいて所望の記録領域を指定する。このとき、スマートフォン３からカメラ２へは、指定された記録領域の識別情報を含む個人モード情報ＤＳが送信される。カメラ２は、フィルム装填モードにおいてスマートフォン３から個人モード情報ＤＳを取得し、取得した個人モード情報ＤＳに含まれている記録領域を使用可能にする。これによって、ステップＳ１２１の判定において、フィルムが装填されたと判定される。なお、このような識別情報が個人モード情報ＤＳに含まれていない場合には、前述と同様に、新たな記録領域が設定される。
【００８０】
また、前述の実施形態は、カメラ２とスマートフォン３との直接通信による例を示している。これに対し、カメラ２とスマートフォン３との間に介在されたサーバによってフィルム装填処理や現像処理が行われてもよい。以下にこのような変形例について説明する。
［インターネット経由のデータ通信］  
図１１はインターネット２００を介したカメラ２とスマートフォン３との間のデータ通信網の構成を示す。インターネット２００には、ネットサービスサーバ２０１が接続されている。また、このインターネット２００では、タブレットＰＣ（端末）３００との間でもデータ通信が可能となっている。これらカメラ２とスマートフォン３とタブレットＰＣ３００とは、互いにネットサービスサーバ２０１を介してデータ通信可能である。なお、カメラ２とスマートフォン３との間は、直接にデータ通信可能である。
【００８１】
ネットサービスサーバ２０１は、インターネット２００上に接続されているカメラ２、スマートフォン３、タブレットＰＣ３００を含む各種の通信端末に対して各種サービスを提供するもので、アクセス判定部２０２と、表示制御部２０３と、画像記録部２０４と、個人用情報部２０５と、フィルム仕様部２０６と、制御部２０１ｂとを有する。
【００８２】
アクセス判定部２０２は、カメラ２、スマートフォン３、タブレットＰＣ３００を含む各種の通信端末からのアクセス情報を受信し、このアクセス情報に含まれるアドレスに従って接続先の通信機器に対してデータ通信を行う。
【００８３】
表示制御部２０３は、ネットサービスサーバで行われる各種サービスに係る画面データをスマートフォン３又はタブレットＰＣ３００に送信することにより、スマートフォン３やタブレットＰＣ３００に各種サービスに係る画面を表示させる。
【００８４】
画像記録部２０４は、例えば、カメラ２、スマートフォン３、又はタブレットＰＣ３００から送られてくる画像を当該ネットサービスサーバ２０１に設けられた記憶装置に一時記録する。カメラ２のユーザ専用の記録領域（例えばユーザ専用の記録領域３２）に記録されている画像をカメラ２からスマートフォン３に送信する場合、画像記録部２０４は、記録領域に記録された各画像をネットサービスサーバ２０１に設けられた記憶装置に一時記録する。
【００８５】
個人用情報部２０５は、スマートフォン３から送られてくる個人モード情報ＤＳを記録する。  
フィルム仕様部２０６は、フィルム装填処理の際に、スマートフォン３と同様にして、記録領域の仕様等を設定する。
【００８６】
制御部２０１ｂは、アクセス判定部２０２と、表示制御部２０３と、画像記録部２０４と、個人用情報部２０５と、フィルム仕様部２０６とを制御し、インターネット２００を通してカメラ２と、スマートフォン３と、タブレットＰＣ３００とを含む各種の通信端末間でのデータ通信を含む各種サービスを提供する。
【００８７】
次に、本システム１におけるネットサービスサーバ２０１によるフィルム装填処理の動作制御について図１２Ａに示すサーバ制御フローチャートに従って説明する。  
ネットサービスサーバ２０１は、ステップＳ２００において、例えば図９（ａ）に示すような初期画面を表すデータをスマートフォン３又はタブレットＰＣ３００に送信することにより、スマートフォン３の表示部５３又はタブレットＰＣの表示部に初期画面を表示させる。
【００８８】
ネットサービスサーバ２０１は、ステップＳ２０１において、フィルム装填モード処理の要求がされたか否かを判定する。スマートフォン３又はタブレットＰＣ３００上でフィルム装填モードが選択された場合にフィルム装填モード処理の要求信号がネットサービスサーバ２０１に送信される。ネットサービスサーバ２０１は、フィルム装填モードの要求信号の有無を判定することにより、ステップＳ２０１の判定を行う。ステップＳ２０１の判定の結果、カメラ２へのフィルム装填モード処理の要求がされてない場合、ネットサービスサーバ２０１は、フィルム装填モード以外の処理を行う。この処理については説明を省略する。ステップＳ２０１において、フィルム装填モードの要求がされた場合、ネットサービスサーバ２０１は、ステップＳ２０２において、図９（ｂ）及び図９（ｃ）に示すような記録領域の仕様を設定するための画面を表示部５３に送信する。
【００８９】
ネットサービスサーバ２０１は、ステップＳ２０３において、ユーザによるスマートフォン３又はタブレットＰＣ３００からの要求を受けて記録領域の仕様等の設定を行う。この設定に基づき、ネットサービスサーバ２０１は、個人モード情報ＤＳを生成する。
【００９０】
ネットサービスサーバ２０１は、ステップＳ２０４において、スマートフォン３又はタブレットＰＣ３００から、カメラ２との通信要求がされたか、例えばスマートフォン３又はタブレットＰＣ３００のユーザによる仕様の決定操作がされたか否かを判定する。この判定の結果、カメラ２との通信要求がされたのであれば、ネットサービスサーバ２０１は、ステップＳ２０５において、個人モード情報ＤＳに従って通信先のカメラ２を特定し、特定したカメラ２に個人モード情報ＤＳを送信する。
【００９１】
ネットサービスサーバ２０１は、ステップＳ２１１において、規定時間内にカメラ２との通信が終了したか否かを判定する。この判定の結果、規定時間内にカメラ２との通信が終了していなければ、ネットサービスサーバ２０１は、ステップＳ２１２において、データ通信が終了していない旨の警告表示をスマートフォン３又はタブレットＰＣ３００に送信する。これを受けて、スマートフォン３又はタブレットＰＣ３００は、ユーザに対して警告表示を行う。規定時間内にデータ通信が終了すると、ネットサービスサーバ２０１は、ステップＳ２１３において、例えばアイコン移動表示用の表示画面をスマートフォン３又はタブレットＰＣ３００に送信する。これにより、スマートフォン３又はタブレットＰＣ３００において前述のアイコン移動表示が行われる。ネットサービスサーバ２０１は、ステップＳ２１４において、個人モード情報ＤＳが送信された旨（ＯＫ通知）をスマートフォン３又はタブレットＰＣ３００に送信する。
【００９２】
次に、本システム１におけるネットサービスサーバ２０１による現像処理の動作制御について図１２Ｂに示すサーバ制御フローチャートに従って説明する。  
ネットサービスサーバ２０１ネットサービスサーバ２０１は、ステップＳ２００において、図９（ａ）に示すような初期画面を表すデータをスマートフォン３又はタブレットＰＣ３００に送信する。これにより、スマートフォン３の表示部５３又はタブレットＰＣの表示部に初期画面を表示する。ネットサービスサーバ２０１は、ステップＳ２２１において、現像モード処理の要求がされたか否かを判定する。スマートフォン３又はタブレットＰＣ３００上で現像モードが選択された場合に現像モード処理の要求信号がネットサービスサーバ２０１に送信される。フィルム現像モードが選択されると、ネットサービスサーバ２０１は、ステップＳ２２２において、例えばスマートフォン３又はタブレットＰＣ３００のユーザによるカメラ２の指定要求を受信する。  
ネットサービスサーバ２０１は、ステップＳ２２３において、カメラ２との間でデータ通信が可能であるか否かを判定する。この判定の結果、データ通信が可能でなければ、ネットサービスサーバ２０１は、ステップＳ２２４において、データ通信が確立されていない旨の情報である警告情報をスマートフォン３又はタブレットＰＣ３００に送信する。これを受けて、スマートフォン３又はタブレットＰＣ３００は、ユーザに対して警告表示を行う。
【００９３】
ステップＳ２２３の判定の結果、データ通信が可能であれば、ネットサービスサーバ２０１は、カメラ２からスマートフォン３又はタブレットＰＣ３００のユーザに対して設定されている記録領域を示す情報を受信する。そして、ネットサービスサーバ２０１は、ステップＳ２２５において、ユーザに対して設定されている記録領域を示す情報をスマートフォン３又はタブレットＰＣ３００に送信する。これにより、表示部５３には、図１０（ｂ）に示すようなフィルムの一覧表示がなされる。  
スマートフォン３又はタブレットＰＣ３００においてフィルムの選択がされると、スマートフォン３又はタブレットＰＣ３００からネットサービスサーバ２０１に対して、暗号化画像の送信要求がなされる。この送信要求を受けて、ネットサービスサーバ２０１は、カメラ２に対して暗号化画像の送信を要求する。暗号化画像の送信要求の間、ネットサービスサーバ２０１は、例えばアイコン移動表示用の表示画面をスマートフォン３又はタブレットＰＣ３００に送信する。これにより、スマートフォン３又はタブレットＰＣ３００において前述のアイコン移動表示が行われる。
【００９４】
暗号化画像の受信後、ネットサービスサーバ２０１は、ステップＳ２２８において、暗号化画像及び暗号情報を読み出す。ステップＳ２２９において、ネットサービスサーバ２０１は、暗号情報を用いて暗号化画像を復号する。そして、ネットサービスサーバ２０１は、復号した画像をスマートフォン３又はタブレットＰＣ３００に送信する。これにより、スマートフォン３又はタブレットＰＣ３００に、図１０（ｃ）に示すような一覧表示がなされる。これ以後は、スマートフォン３又はタブレットＰＣ３００において画像の再生処理がなされる。そして、図１２Ｂの処理は、終了される。
【００９５】
［第２の実施の形態］  
次に、本発明の第２の実施の形態について図面を参照して説明する。  
図１３は情報管理システムの概略構成図を示す。この情報管理システム１は、例えば２台のスマートフォン３ａ、３ｂと、レンズ型デジタルカメラ（以下、レンズ型カメラと称する）４００とを備えている。この情報管理システム１では、レンズ型カメラ４００は、各スマートフォン３ａ、３ｂによって共用される。  
レンズ型カメラ４００は、図２及び図３に示す構成と略同一構成を有する。但し、このレンズ型カメラ４００は、表示部１３及び表示制御部２１を備えていない。  
各スマートフォン３ａ、３ｂは、それぞれ図４に示すスマートフォン３と同一機能を有する。なお、レンズ型カメラ４００は、２台のスマートフォン３ａ、３ｂによって共用されるが、これに限らず、２台以上のスマートフォンによって共用され得ることは言うまでもない。  
スマートフォン３ａ、３ｂには、それぞれレンズ取付け部４０１ａ、４０１ｂが取り付けられる。これらレンズ取付け部４０１ａ、４０１ｂには、レンズ型カメラ４００が取り付けられる。レンズ取付け部によってレンズ型カメラ４００が取り付けられたスマートフォン（例えば、スマートフォン３ａ）は、レンズ型カメラ４００との通信により、レンズ一体型のカメラとして機能する。以下、レンズ型カメラ４００が取り付けられたスマートフォンのことをレンズ一体型カメラと称する。
【００９６】
レンズ型カメラ４００は、被写体を撮影してその画像信号を出力する撮影部と、レリーズやフォーカス調整等を行うための操作部と、撮影部から出力された画像信号に基づく画像を記録する記録媒体として例えばメモリカードとを有する。このレンズ型カメラ４００は、ユーザ専用の記録領域をメモリカードに作成し、当該ユーザ専用の記録領域に、撮影によって取得される画像を記録する。
【００９７】
［レンズ一体型カメラの動作制御］  
次に、本システム１におけるレンズ型カメラ４００の動作について図１４Ａ及び図１４Ｂに示すレンズ一体型カメラ制御フローチャートに従って説明する。なお、このレンズ一体型カメラ制御フローチャートは、図５Ａ及び図５Ｂに示すカメラ制御フローチャートと略同一である。ただし、各処理においては、スマートフォン３ａの動作も行われ得る。  
レンズ型カメラ４００は、ステップＳ１０１において、撮影モードに設定されたか否かを判定する。このモード選択では、ユーザは、スマートフォン３ａの表示部５３に表示された撮影モード等のモードの選択項目の中から所望のモードを選択する。モード選択を受けて、スマートフォン３ａからレンズ型カメラ４００にモードの情報が送信される。このモード情報によってステップＳ１０１の判定が行われる。  
この判定の結果、撮影モードに設定されると、レンズ型カメラ４００は、ステップＳ１０２において、撮影部１１の撮影光学系及び撮像素子を動作制御して被写体のスルー画像を取得する。  
レンズ型カメラ４００は、ステップＳ１０３において、個人モードに設定されたか否かを判定する。個人モードは、スマートフォン３ａの表示部５３に表示されたモード選択画面においてユーザのマニュアル操作によって個人モードが選択された場合に設定される。モード選択を受けて、スマートフォン３ａからレンズ型カメラ４００にモードの情報が送信される。このモード情報によってステップＳ１０３の判定が行われる。ステップＳ１０３の判定の結果、個人モードに設定されていない、すなわち通常の撮影モード（共用モード）であれば、レンズ型カメラ４００は、撮影制御部２０により取得されたスルー画像をスマートフォン３ａに送信する。これを受けて、スマートフォン３ａは、表示部５３にスルー画を表示する。
【００９８】
レンズ型カメラ４００は、ステップＳ１０５において、スマートフォン３ａから撮影パラメータの変更指示を受けたか否かを判定する。撮影パラメータは、例えばスマートフォン３ａの操作によって変更される。この変更を受けて、スマートフォン３ａからレンズ型カメラ４００に撮影パラメータの変更指示が送信される。この判定の結果、撮影パラメータの変更指示が受信されると、レンズ型カメラ４００は、ステップＳ１０６において、撮影パラメータの変更を行う。
【００９９】
撮影パラメータの変更の後、レンズ型カメラ４００は、ステップＳ１１１において、スマートフォン３ａからレリーズ指示を受けたか否かを判定する。レリーズ操作は、例えばスマートフォン３ａの操作によってなされる。レリーズ操作を受けて、スマートフォン３ａからレンズ型カメラ４００にレリーズ指示が送信される。ステップＳ１１１の判定の結果、レリーズ指示が所定期間内に受信されないときには、処理はステップＳ１０１に戻る。
【０１００】
この判定の結果、レリーズ指示が受信されると、レンズ型カメラ４００は、レリーズボタンがオンになると、レンズ型カメラ４００は、ステップＳ１１２において、ＡＦ処理を行い、ステップＳ１１３において、撮影動作を行い、被写体の画像を取得し、取得した画像を記録部１４に記録する。その後、レンズ型カメラ４００は、撮影動作によって取得された画像をスマートフォン３ａに送信する。これを受けて、スマートフォン３ａは、撮影動作により取得された被写体の画像を、ユーザの確認のため、表示部５３に規定時間だけ表示する。この後、処理はステップＳ１０１に戻る。
【０１０１】
一方、ステップＳ１０３の判定の結果、個人モードに設定されていると、レンズ型カメラ４００は、ステップＳ１２１において、フィルムが装填されているか否かを判定する。この判定において、フィルムが装填されているとき、レンズ型カメラ４００は、フィルムが装填されている旨の情報をスマートフォン３ａに送信する。これを受けて、スマートフォン３ａは、写真用パトローネアイコン４を表示部５３に表示する。表示部５３に表示される写真用パトローネアイコン４のパトローネアイコン４ａには、レンズ型カメラ４００を個人モードで使用しようとしているスマートフォン３ａのユーザの名前（例えば娘の名前）が表示される。
【０１０２】
レンズ型カメラ４００は、ステップＳ１２３において、フィルム関連情報記録部４２に記録された個人モード情報ＤＳを読み出し、この個人モード情報ＤＳに含まれる撮影パラメータに従って、個人対応パラメータの設定を行う。
【０１０３】
レンズ型カメラ４００は、ステップＳ１２４において、撮影制御部２０により取得されたスルー画像をスマートフォン３ａに送信する。これを受けて、スマートフォン３ａは、スルー画像を表示部５３に表示する。  
レンズ型カメラ４００は、ステップＳ１２５において、スマートフォン３ａから撮影パラメータの変更指示を受けたか否かを判定する。この判定の結果、撮影パラメータの変更指示が受信されると、レンズ型カメラ４００は、ステップＳ１２６において、撮影パラメータの変更を行う。
【０１０４】
撮影パラメータの変更の後、レンズ型カメラ４００は、ステップＳ１３１において、スマートフォン３ａからレリーズ指示を受けたか否かを判定する。ステップＳ１３１の判定の結果、レリーズ指示が所定期間内に受信されないときには、処理はステップＳ１０１に戻る。
【０１０５】
この判定の結果、レリーズ指示が受信されると、レンズ型カメラ４００は、ステップＳ１３２において、ＡＦ処理を行い、ステップＳ１３３において、撮影動作を行い、被写体の画像を取得する。
【０１０６】
レンズ型カメラ４００は、ステップＳ１３４において、撮影制御部２０の撮影により取得された画像６を、スマートフォン３ａに送信する。これを受けて、スマートフォン３ａは、図１Ａに示すように表示部５３に表示されている写真用パトローネアイコン４のフィルムアイコン４ｂ中に表示する。ユーザは、フィルムアイコン４ｂ中に表示された画像６を見ることによって撮影した画像を確認できる。  
レンズ型カメラ４００は、ステップＳ１３５において、撮影により取得された画像をパトローネ収納する指示をスマートフォン３ａから受けたか否か、すなわち撮影により取得された画像を記録部１４の対応する記録領域に記録する指示を受けたか否かを判定する。パトローネ収納するか否かの判定は、例えばユーザのスマートフォン３ａの操作を判定することにより行われる。この結果、撮影により取得された画像をパトローネ収納する指示を受けていないのであれば、処理はステップＳ１３４に戻る。この場合、確認表示が継続される。なお、規定時間の確認表示の後、処理がステップＳ１０１に戻るようにしてもよい。
【０１０７】
ステップＳ１３５の判定の結果、撮影により取得された画像をパトローネ収納する指示を受けたのであれば、レンズ型カメラ４００は、ステップＳ１３６において、画像を暗号化し、暗号化した画像をフィルム装填処理で設定された記録領域に記録する。この後、処理はステップＳ１０１に戻る。
【０１０８】
なお、パトローネ収納の際、スマートフォン３ａは、図１Ｂに示すように、写真用パトローネアイコン４のフィルムアイコン４ｂが１コマ分だけパトローネアイコン４ａ内に収納されていくかのような表示をする。
【０１０９】
また、パトローネ収納の際、レンズ型カメラ４００は、専用の記録領域に記録される画像の枚数を、スマートフォン３ａから送信されてきた個人モード情報ＤＳに含まれる画像の枚数に規制する。すなわち、レンズ型カメラ４００は、記録領域に記録される画像の枚数が規定の枚数になっていた場合には、仮にレリーズボタンがオンされた場合であっても記録を行わない。
【０１１０】
ステップＳ１２１での判定の結果、フィルムが装填されていなければ、レンズ型カメラ４００は、フィルムが装填されていない旨の情報をスマートフォン３ａに送信する。これを受けて、スマートフォン３ａは、ステップＳ１２７において、フィルム装填処理が必要であることの警告、例えば図６（ｂ）に示す「フィルム装填してください」のような警告メッセージを表示部５３に表示すると共に、音声によっても発する。
【０１１１】
一方、ステップＳ１０１の判定の結果、撮影モードでなければ、レンズ型カメラ４００は、ステップＳ１５１において、フィルム現像モードに設定されているか否かを判定する。
【０１１２】
フィルム現像モードに設定されていると、レンズ型カメラ４００は、ステップＳ１５５において、フィルム関連情報記録部４２に記録されている情報をスマートフォン３ａに送る。これを受けて、スマートフォン３ａは、画像記録部４１に設定されている記録領域を表すアイコンであるパトローネアイコン４ａ、例えば図７（ｃ）に示すように父親、母親、又は子供（息子、娘）等の専用のパトローネアイコン４ａを表示部５３に一覧表示する。
【０１１３】
ユーザが何れかのパトローネアイコン４ａを選択すると、ステップＳ１５６において、スマートフォン３ａは、選択されたパトローネアイコン４ａがスマートフォン３ａに対応しているものであるか否かを判定する。そして、選択されたパトローネアイコン４ａがスマートフォン３ａに対応しているものである場合に、スマートフォン３ａは、選択されたパトローネアイコン４ａに対応した画像返信情報ＰＤの送信をレンズ型カメラ４００に対して要求する。  
これを受けて、レンズ型カメラ４００は、スマートフォン３ａに対して、ユーザによって選択された写真用パトローネアイコン４に対応した記録領域の情報を含む画像返信情報ＰＤを送る。その後、レンズ型カメラ４００は、スマートフォン３ａから記録領域の指定情報が送られるまで待機する。ユーザによるスマートフォン３ａの操作によって、記録領域の指定情報が送られると、レンズ型カメラ４００は、スマートフォン３ａからの記録領域の指定情報によって特定される記録領域に記録されている暗号化画像を、暗号情報とともにスマートフォン３ａに送信する。この暗号化画像は、前述したＳ２２９以後の処理と同様の処理を経て再生される。
【０１１４】
一方、ステップＳ１５１の判定の結果、フィルム現像モードでなければ、レンズ型カメラ４００は、ステップＳ１６１において、フィルム装填モードであるか否かを判定する。この判定の結果、フィルム装填モードでなければ、処理は、ステップＳ１０１に戻る。
【０１１５】
一方、フィルム装填モードであれば、レンズ型カメラ４００は、ステップＳ１６３において、スマートフォン３ａから個人モード情報ＤＳを取得し、受信した個人モード情報ＤＳをフィルム関連情報記録部４２に記録する。そして、レンズ型カメラ４００は、ステップＳ１６４において、受信した個人モード情報ＤＳに基づいて画像記録部４１に記録領域を設定する。この後、処理はステップＳ１０１に戻る。  
このように第２の実施の形態によれば、レンズ型カメラ４００とスマートフォン３ａとの協働によって動作するレンズ一体型カメラについて第１の実施の形態で説明したのと同様の処理が可能である。
【０１１６】
なお、本発明は、上記各実施の形態に限定されるものでなく、次のように変形してもよい。  
上記各実施の形態では、カメラ２の撮影によって取得された画像についてユーザ個別に管理できるようにているが、画像に限らず、文書や書類等のドキュメントをユーザ個別に管理できるようにしてもよい。文書や書類等のドキュメントであれば、情報機器として例えば複写機や印刷器、ファクシミリの機能を備えた複合機に適用可能である。  
本実施の形態では、フィルムやパトローネを擬似的にフォルダやデータを示す画像（アイコンや絵文字）例として説明してきたが、もちろん、この例に限るわけではない。家族共用のビデオカメラなどでは、フィルムというよりは、テープ時代のビデオテープを表す表示にしてもよく、録音機器で家族共有するものも想定でき、その時には、カセットテープやＭＤやＣＤを想起するアイコンなり画像なりを、よく知られた記録メディアとして表示しても、同様の安心感あるプライバシー保護機器提供が可能となる。
【０１１７】
さらに、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【０１１８】
１：情報管理システム、２：第１の情報機器（カメラ）、３、３ａ、３ｂ：第２の情報機器（スマートフォン）、４：写真用パトローネアイコン、４ａ：パトローネアイコン、４ｂ：フィルムアイコン、６，７：画像、１０：カメラ制御部、１１：撮影部、１２：操作部、１３：表示部、１４：記録部、１５：機器通信部、２０：撮影制御部、２１：表示制御部、２２：通信制御部、２３：記録制御部、２４：モード設定部、２５：プログラムメモリ、３０：父親用の記録領域、３１：母親用の記録領域、３２：子供（息子、娘）用の記録領域、４０：通信相手情報記録部、４１：画像記録部、４２：フィルム関連情報記録部、５０：スマートフォン制御部、５１：撮影部、５２：操作部、５３：表示部、５４：記録部、５５：機器通信部、６０：撮影制御部、６１：表示制御部、６１：通信制御部、６３：記録制御部、６４：記録領域設定部、６５：プログラムメモリ、７０：通信相手情報記録部、７１：画像記録部、２００：インターネット、２０１：ネットサービスサーバ、２０１ｂ：制御部、３００：タブレットＰＣ（端末）、２０２：アクセス判定部、２０３：表示制御部、２０４：画像記録部、２０５：個人用情報部、２０６：フィルム仕様部、４００：レンズ型デジタルカメラ、４０１ａ，４０１ｂ：レンズ取付け部。
【図１Ａ】
2019023887.tif 000003
【図１Ｂ】
2019023887.tif 000004
【図２】
2019023887.tif 000005
【図３】
2019023887.tif 000006
【図４】
2019023887.tif 000007
【図５Ａ】
2019023887.tif 000008
【図５Ｂ】
2019023887.tif 000009
【図６】
2019023887.tif 000010
【図７】
2019023887.tif 000011
【図８Ａ】
2019023887.tif 000012
【図８Ｂ】
2019023887.tif 000013
【図９】
2019023887.tif 000014
【図１０】
2019023887.tif 000015
【図１１】
2019023887.tif 000016
【図１２Ａ】
2019023887.tif 000017
【図１２Ｂ】
2019023887.tif 000018
【図１３】
2019023887.tif 000019
【図１４Ａ】
2019023887.tif 000020
【図１４Ｂ】
2019023887.tif 000021